(57)【要約】【課題】不特定多数の上位監視装置と通信している最中に発生した警報を確実に通報する機能を有する警報通報装置を提供する。【解決手段】監視対象設備３の稼働状況信号を検出する稼働状況信号検出部１２と、通信回線４１を介して通信する通信部１６と、通信を制御する通信制御部１３と、異常信号検出時に警報信号を通報する警報通報部１５とを備える警報通報装置１において、通信回線４１における通信状況を確認する通信確認部１４と、異常信号検出時に使用中の通信回線４１を介する通信を切断する通信切断部１６とを有し、警報通報部１５は通信が切断された通信回線４１を介して警報を通報する。【選択図】        図１
2004151923.tif 000002
【特許請求の範囲】
【請求項１】
監視対象設備からの異常信号を検出する異常検出部と、監視対象設備の稼働状況信号を検出する稼働状況信号検出部と、通信回線を介して通信する通信部と、通信回線を介する通信を制御する通信制御部と、異常信号検出時に警報を通報する警報通報部とを備える警報通報装置において、
前記通信回線における通信状況を確認する通信確認部と、異常信号検出時に使用中の通信回線を介する通信を切断する通信切断部とを有し、そして、該通信切断部が使用中の通信回線を介する通信を切断すると、警報通報部は通信が切断された通信回線を介して警報を通報することを特徴とする警報通報装置。
【請求項２】
請求項１記載の警報通報装置において、
通信を切断する前に、通信先に通信が切断されることをデータとして送信するデータ送信部を有することを特徴とする警報通報装置。
【請求項３】
請求項１又は２に記載の警報通報装置において、
上記通信切断部は、モデムのキャリア信号を停止して通信を切断することを特徴とする警報通報装置。
【請求項４】
監視対象設備からの異常信号を検出する異常検出機能と、監視対象設備の稼働状況信号を検出する稼働状況信号検出機能部と、通信回線を介して通信する通信機能部と、通信回線を介する通信を制御する通信制御機能と、異常信号検出時に警報を通報する警報通報機能と、通信回線における通信状況を確認する通信確認機能と、異常信号検出時に使用中の通信回線を介する通信を切断する通信切断機能部と、切断された通信回線を介して警報を通報する機能とをコンピュータに実現させるプログラムからなるコンピュータ・ソフトウエア。
【発明の詳細な説明】
【０００１】
【発明の属する技術分野】
本発明は、上下水道の給水、配水設備や、産業用の生産設備、販売データ収集設備等の稼働状況を監視、記録するとともに、設備の故障、異常状態を表示、記録する監視対象設備のメンテナンス業務に必要なデータを送受信する設備管理システムに関する。
【０００２】
【従来の技術】
上下水道の給水、配水設備では、運転状態等を制御し、監視して通報する通報装置を設置することが行なわれている（例えば、特許文献１、２参照）。従来の通報装置は、あらかじめ通報装置と通信する上位側の監視装置の台数は決まっており、通報装置と通信する上位側は設備を監視しているサポートセンターのサービス担当だった。このため、上位側の装置と通信している最中に警報は発生した場合でも、通信している上位側は、設備の管理者であるため、それ以外へ警報の発生を伝える必要がなかった。設備の多様化にともない、特定の設備管理者だけではなく、メンテナンス会社やサービス会社など複数の上位監視装置から通報装置と通信する必要が生じた。しかしながらメンテナンス会社やサービス会社が通信している最中に警報が発生した場合、警報の発生を設備管理者に通報することができない、という問題があった。
【０００３】
【特許文献１】
特開平１１−２０５４７１号公報
【特許文献２】
特開２００２−２５２８８５号公報
【０００４】
【発明が解決しようとする課題】
本発明は、従来の問題を解決するものであり、不特定多数の上位監視装置と通信している最中に発生した警報を確実に通報する機能を有する警報通報装置及びコンピュータ・ソフトウエアを提供することを目的とする。
【０００５】
【課題を解決するための手段】
本発明は、監視対象設備からの異常信号を検出する異常検出部と、監視対象設備の稼働状況信号を検出する稼働状況信号検出部と、通信回線を介して通信する通信部と、通信回線を介する通信を制御する通信制御部と、異常信号検出時に警報を通報する警報通報部とを備える警報通報装置において、前記通信回線における通信状況を確認する通信確認部と、異常信号検出時に使用中の通信回線を介する通信を切断する通信切断部とを有し、そして、該通信切断部が使用中の通信回線を介する通信を切断すると、警報通報部は通信が切断された通信回線を介して警報を通報する警報通報装置である。
【０００６】
また、本発明は、通信を切断する前に、通信先に通信が切断されることをデータとして送信するデータ送信部を有する警報通報装置である。
【０００７】
そして、本発明は、上記通信切断部は、モデムのキャリア信号を停止して通信を切断する警報通報装置である。
【０００８】
更に、本発明は、監視対象設備からの異常信号を検出する異常検出機能と、監視対象設備の稼働状況信号を検出する稼働状況信号検出機能部と、通信回線を介して通信する通信機能部と、通信回線を介する通信を制御する通信制御機能と、異常信号検出時に警報を通報する警報通報機能と、通信回線における通信状況を確認する通信確認機能と、異常信号検出時に使用中の通信回線を介する通信を切断する通信切断機能部と、切断された通信回線を介して警報を通報する機能とをコンピュータに実現させるプログラムからなるコンピュータ・ソフトウエアである。
【０００９】
【発明の実施の形態】
発明の実施の形態を説明する。
本発明の警報通報装置の一実施例について、図１〜図４を用いて説明する。図１は、実施例の警報通報装置を使用するシステムの一例の説明図である。図２は、実施例の警報通報装置の説明図である。図３は、実施例の警報通報装置における通信手順の一例の説明図である。図４は、実施例の通報装置おける自動回線切断前のデータ送信の一例の説明図である。
【００１０】
実施例を説明する。本実施例の警報通報装置１ａ〜１ｃは、図１に示すように、監視対象設備であるＡ市上水設備の井戸３１、ポンプ３２、配水池３３等を監視しており、また、通信回線４１及びルータ６３を介してサポートセンターの監視機器２１ａ、２１ｂと接続され、また、モデム６４を介してサービス会社の監視機器２２と接続されている。なお、通信回線４１には、Ｂ市下水設備５１を監視する警報通報装置１ｄ、１ｅ、サポートセンター及びサービス会社の機器類６１〜６５及びメールサーバ７１が接続されている。Ｂ市の警報通報装置１ｄ、１ｅは、Ａ市の警報通報装置１ａ〜１ｃと同様であって、Ｂ市の下水設備であるマンホールポンプ３４ａ、３４ｂ等を監視しており、そして、無線通信機５１ａ、５１ｂ及び無線回線４２を介してサポートセンターの監視機器２１ｃと接続されている。なお、メールサーバ７１は、インターネットと接続される。
【００１１】
実施例の警報通報装置１は、図２に示すように、異常信号検出部１１、稼働状況信号検出部１２、通報制御部１３、通信状況確認部１４、警報通報部１５、通信部１６、通信切断部１７、データ作成部１８、データ送信部１９を備えている。異常信号検出部１１は、監視対象設備からの異常信号を検出する。稼働状況信号検出部１２は、監視対象設備の稼働状況信号を検出する。通報制御部１３は、通信回線を介する通信を制御するとともに、異常信号検出部１１からの異常信号、稼働状況信号検出部１２からの稼働状況信号及び通信状況確認部１４からの通信回線の通信状況確認信号を受取る。通信状況確認部１４は、通信回線における通信状況を確認する。異常信号警報通報部１５は、外部に警報を通報する。通信部１６は、監視装置との通信を行う。通信切断部１７は、使用中の通信回線を介する通信を切断する。通信切断部１７は、モデムのキャリア信号を停止して通信を切断することができる。データ作成部１８は、通信が切断される旨のデータを作成する。データ送信部１９は、通信が切断される旨のデータを通信先に送信する。なお、通信部１６は、警報通報部１５を兼ねることは可能である。
【００１２】
実施例１の警報通報装置１は、異常信号を検出すると外部に警報を通報する。そして、上位側の監視装置と通信している最中に警報が発生した場合、自動的にその通信を切断し、そして、切断した通信回線を介して警報を通報する。また、本実施例の警報通報装置は、自動的に回線を切断する前に、上位側の監視装置に、回線を切断することをデータとして送信することができる。なお、警報通報装置が使用していない他の通信回線を介した通信手段を有する場合、その通信回線を使用して上位側の監視装置に通報することができる。
【００１３】
実施例１の警報通報装置１ａ〜１ｃは、図１示すように、Ａ市上水設備に設置されており、それぞれ井戸３１、ポンプ３２、配水池３３などの運転状況や水位、流量などを監視しており、特定の条件（ポンプが故障したり、水位が予め設定した水位より高くなった場合など）が発生した場合、その情報を電話、ＦＡＸ、データ通信、メールなどにより遠隔のサポートセンターやサービス会社に通報する。
【００１４】
より具体的説明すると、本実施例の警報通報装置１ａは井戸３１に、１ｂはポンプ３１に、１ｃは配水池３３の設備機器に接続されている。また、警報装置１ａ〜１ｃは、通信回線４１及びルータ６３を介してメールサーバ７１及びサポートセンター内の監視装置２１ａ、監視装置２１ｂ、電話６１、ＦＡＸ機器６２と接続している。また、通信回線４１及びモデム６４を介してサービス会社の監視装置２２と接続している。Ｂ市下水設備に設置された通報装置１ｄ、１ｅは、マンホールポンプ３４ａ、３４ｂの設備機器に接続されている。通報装置１ｄ、１ｅは、無線通信機器５１ａ、５１ｂと接続しており、無線通信回線４２を介してサポートセンター内の監視装置２１ｃと通信することができる。通報装置１ｄ、１ｅについては、本実施例の通報装置１ａ〜１ｃと同様とすることができる。
【００１５】
実施例において、例えばサービス会社に設置されている監視装置２２からＡ市上水場に設置されている通報装置１ｂと通信をしている最中に、ポンプ３２の故障が発生した場合、従来の通報装置では、サービス会社側からの通信が終了するまでサポートセンターへ通報することができなかった。本実施例の通報装置１ｂは、警報信号を検出する（Ｓ１０１）と、他（サービス会社）と通信中かを判断し（Ｓ１０２）、切断データを通信先（サービス会社）に送信し（Ｓ１１１）、そして、サービス会社との通信を自動的に切断し（Ｓ１１２）、サポートセンター内の監視装置２１ａ、２１ｂ、電話６１、ＦＡＸ機器６２、サービス会社内の監視装置２２、メール受信装置６５に、故障情報を通報する（Ｓ１２１）ことができ、迅速な対応をすることができる。
【００１６】
また、通信を切断する前に、発生した警報の内容及び回線を切断する旨のデータの一例を、図４を用いて説明する。図４（ａ）は、通信先の画面８１に、発生した警報の内容９１であり、図４（ｂ）は、警報通報装置１がどのような故障を検知したのか、また後どのくらいで回線が切断されるのかを通知する内容９２である。
【００１７】
また、図３は警報通報装置内のプログラム構成を示しており、通報制御機能３００は、監視対象設備の異常信号を検出する機能３０１０または監視対象設備の稼働状況信号を検出する機能３０２０より、信号を受取る。
【００１８】
なお、監視対象設備の稼働状況信号を検出する稼働状況信号検出部と、異常信号を検出する異常検出部と、複数の通信回線を介して通信する通信部と、通信回線を介する通信を制御する通信制御部とを備え、警報信号を外部機器に通報する機能を有する警報通報装置において、前記複数の通信回線における通信状況を確認する通信確認部を有し、かつ、上記通信部は、異常を検出した時、使用中の通信回線以外の通信回線を介して警報を通報するようにすることも可能である。
【００１９】
上記実施例では、警報通報装置を説明したが、監視対象設備からの異常信号を検出する異常検出機能と、監視対象設備の稼働状況信号を検出する稼働状況信号検出機能部と、通信回線を介して通信する通信機能部と、通信回線を介する通信を制御する通信制御機能と、異常信号検出時に警報信号を通報する警報通報機能と、通信回線における通信状況を確認する通信確認機能と、異常信号検出時に使用中の通信回線を介する通信を切断する通信切断機能部と、切断された通信回線を介して警報を通報する機能とをコンピュータに実現させるプログラムからなるコンピュータ・ソフトウエアを使用することにより、パソコン等を警報通報装置とすることができる。
【００２０】
【発明の効果】
本発明によれば、通報装置と通信中に、監視対象設備の故障が発生した場合、自動的に回線を切断し、故障情報をサポートセンター、サービス会社に速やかに連絡することができ、また、切断する前に、故障内容や切断までの時間など必要なデータを送信することで、事前の故障内容及び、回線切断まで時間などを把握することできる。
【図面の簡単な説明】
【図１】実施例の警報通報装置を使用するシステムの一例の説明図。
【図２】実施例の警報通報装置の説明図。
【図３】実施例の警報通報装置における通信手順の一例の説明図。
【図４】実施例の通報装置おける自動回線切断前のデータ送信の一例の説明図。
【符号の説明】
１ａ〜１ｅ  通報装置
２１ａ〜２２  監視装置
３１〜３４ｂ  監視対象設備
４１  通信回線
４２  無線通信回線
５１ａ〜５１ｃ  無線通信機器
６１、６２、６３  サポートセンター用機器
６４、６５  サービス会社用機器
７１  メールサーバ
８１、８２  画面
９１、９２  データ表示
【図１】
2004151923.tif 000003
【図２】
2004151923.tif 000004
【図３】
2004151923.tif 000005
【図４】
2004151923.tif 000006